(57)【要約】      （修正有）【課題】歯科治療に際し、アシスタントなしで唾液等の口腔内汚物を効率よく吸引処置することが可能なバキューム装置及びそのためのバキューム管保持スタンド並びに歯科治療用チェアを提供する。【解決手段】自在に屈曲しかつその位置を保持可能な屈曲管１０５の一方の端部に、バキューム管１０１を把持する把持部材を設ける。他方の端部は、他の構造物に取り付けるための取付部材を設けるか、あるいは昇降可能な支柱１０６に取付け、該支柱をキャスター１１０を備えて移動可能とした支持台１０９に昇降可能に取付ける構成とする。【選択図】図１
0003157169.tif 000002
【実用新案登録請求の範囲】
【請求項１】
自在に屈曲しかつその位置を保持可能な屈曲管の一方の端部に、バキューム管を把持する把持部材を設け、他方の端部をキャスターを備えて移動可能とした支持台に取付けたことを特徴とする口腔内バキューム管保持用スタンド。
【請求項２】
前記他方の端部を支柱に取付け、該支柱を前記支持台に昇降可能に取付けたことを特徴とする請求項１に記載のスタンド。
【請求項３】
自在に屈曲しかつその位置を保持可能な屈曲管の一方の端部に、バキューム管を把持する把持部材を設け、他方の端部を他の構造物に取り付けるための取付部材を設けたことを特徴とする口腔内バキューム管保持用スタンド。
【請求項４】
前記構造物は口腔外バキューム装置であって、該装置のバキュームアーム先端の吸引口の近傍に前記取付部材で固定したことを特徴とする請求項３に記載のスタンド。      
【請求項５】
前記屈曲管は、第１の屈曲部と該第１の屈曲部よりも小さい力で屈曲する第２の屈曲部とで構成し、該第２の屈曲部に前記把持部材を設けたことを特徴とする請求項１〜４のいずれか１項に記載のスタンド。    
【請求項６】
前記第２の屈曲部は、前記バキューム管の先端が略同一平面内を移動するようにしたことを特徴とする請求項５に記載のスタンド。
【請求項７】
前記屈曲管の先端部に弾性体を設け、該弾性体に前記把持部材を取り付けたことを特徴とする請求項１〜４のいずれか１項に記載のスタンド。
【請求項８】
自在に屈曲しかつその位置を保持可能な第２の屈曲管を有し、該屈曲管の一端部に排唾管を把持する把持部材を設けたことを特徴とする請求項１〜７のいずれか１項に記載のスタンド。
【請求項９】
請求項1〜８のいずれか１項に記載の口腔内バキューム管保持用スタンドにより、前記バキューム管を保持したことを特徴とする口腔内バキューム装置。
【請求項１０】
自在に屈曲しかつその位置を保持可能な屈曲管と、該屈曲管の一端部にバキューム管を把持する把持部材と、を備えたことを特徴とする歯科治療用チェア。
【請求項１１】
前記屈曲管は、第１の屈曲部と該第１の屈曲部よりも小さい力で屈曲する第２の屈曲部とで構成し、該第２の屈曲部に前記把持部材を設けたことを特徴とする請求項１０に記載の歯科治療用チェア。    
【請求項１２】
前記第２の屈曲部は、前記バキューム管の先端が略同一平面内を移動するようにしたことを特徴とする請求項１１に記載の歯科治療用チェア。
【請求項１３】
前記屈曲管の先端部に弾性体を設け、該弾性体に前記把持部材を取り付けたことを特徴とする請求項１０に記載の歯科治療用チェア。
【請求項１４】
自在に屈曲しかつその位置を保持可能な第２の屈曲管を有し、該第２の屈曲管の一端部に排唾管を把持する把持部材を設けたことを特徴とする請求項１０〜１３のいずれか１項に記載の歯科治療用チェア。
【考案の詳細な説明】
【技術分野】
【０００１】
本考案は、口腔内バキューム装置及びバキューム管保持用スタンド、並びに歯科治療用チェアに係り、特に、歯の治療の際にアシスタントなしで唾液等の吸引排出が可能なバキューム装置及びそれに用いるバキューム管保持用スタンドに関する。
【背景技術】
【０００２】
歯科治療においては、歯や金属の切削時に発生する切削屑や過熱防止に噴射する水を排出したり、口腔内に溜まる唾液、血液等を排出するために、口腔内バキューム装置が用いられる。
このバキューム装置は、例えば、先端に軟質のプラスチック製のチップを備えたバキューム管と、真空排出用の吸引機と、吸引機とバキューム管を接続するバキュームホースとから構成され、各歯科用治療チェアに備え付けられている(特許文献１）。歯科医が歯の治療をする間、アシスタントはバキューム管の先端部を治療歯の近くに置いて切削屑や水等を吸引排出したり、口の中にたまった水や唾液を吸引排出して、できるかぎり患者に負担をかけないようにバキューム管を操作する。
【０００３】
なお、歯石除去等の処置のように、もっぱら唾液だけを吸引排出する場合は、バキューム管の代わりに排唾管が用いられ、アシスタントなしで処置するのが一般的である(特許文献２)。
【先行技術文献】
【特許文献】
【０００４】
【特許文献１】特開２００４−１８７９２３
【特許文献２】特開平１０−１９２３０８
【考案の概要】
【考案が解決しようとする課題】
【０００５】
上述したように、歯科医が上記の治療をする場合には、口腔内汚物の吸引排出のために必ずアシスタントが必要となることから、それだけ人件費がかかることとなって、これが医院経営を悪化させる原因ともなっている。
また、アシスタントは歯科医の指示によりバキューム管を配置しようとするが、吸引排出を優先して治療部に近づけると歯科医の視界を遮断してしまい、逆に、治療を優先して先端部を遠ざけると液の吸引排出が不十分となって、患者の負担が大きくなるという問題がある。すなわち、従来のバキューム装置では、患者及び歯科医の双方に最適な状況を実現することは難しいという問題があった。
【０００６】
また、排唾管にしても、口のはしにひっかけて用いるため、長時間使用しているとその重みが吸引力と相俟って先端部が徐々に粘膜を加圧刺激し、このため苦痛を訴える患者も少なくないという問題もあった。
【０００７】
かかる状況において、本考案は、歯科医が治療に際し、アシスタントなしで唾液、切削屑等の口腔内汚物を効率よく吸引排出することが可能な手段、システムを提供することを目的とする。さらに、口腔内粘膜への刺激を抑えた口腔内バキューム装置を提供し、さらにまた、治療しながら、同時にバキューム管の先端部の位置の移動を容易に行うことが可能な口腔内バキューム装置を提供することを目的とする。
【課題を解決するための手段】
【０００８】
本考案の第１の口腔内バキューム管保持用スタンドは、自在に屈曲しかつその位置を保持可能な屈曲管の一方の端部に、バキューム管を把持する把持部材を設け、他方の端部をキャスターを備えて移動可能とした支持台に取付けたことを特徴とする。ここで、前記他方の端部は支柱に取付けられ、該支柱を前記支持台に昇降可能に取付けるのが好ましい。
【０００９】
すなわち、屈曲管の変形と支柱の上下移動とにより、把持するバキューム管の先端を口腔内の所望の位置に配置することができ、治療の際に発生する切削屑や噴射水等を効率よく排出することが可能となる。その際、バキューム管等の重さにより患者の口内を加圧刺激することはない。また、バキューム処置用のアシスタントが不要となり、そのための人件費を削減できる。さらには、歯科医の意志通りに所望の位置にバキュームチップを配置することができることから、より治療に専心することができ、また、患者への負担も軽減できる。
しかも、上記スタンドは治療チェア毎に設ける必要はなく、必要とする治療チェアにその都度移動して使用すればよいため、非常に経済的である。
【００１０】
本考案の第２の口腔内バキューム管用保持スタンドは、自在に屈曲しかつその位置を保持可能な屈曲管の一方の端部に、バキューム管を把持する把持部材を設け、他方の端部を他の構造物に取り付けるための取付部材を設けたことを特徴とする。
前記構造物としては、例えば、口腔外バキューム装置のバキュームアームが挙げられる。アーム先端の吸引口の近傍に前記取付部材で固定するのが好ましく、これにより、口腔内から汚物を吸引排出すると同時に、口外に飛散する切削屑等をも効率的に吸引することが可能となり、歯科医の保護を確実に行うことができる。また、口腔内及び口腔外バキューム装置のシステム全体としてコンパクト化、低価格化が可能となる。      
【００１１】
なお、本考案において、前記屈曲管を、第１の屈曲部と第２の屈曲部とで構成し、第２の屈曲部は第１の屈曲部よりも小さい力で屈曲するようにし、かつ第２の屈曲部に前記把持部材を設ける構成としても良い。
あるいは、前記屈曲管の先端部にバネ等の弾性体を設け、該弾性体に前記把持部材を取り付ける構成としても良い。このようにして、歯科医は、治療を中断することなく、バキューム位置を容易に変更し、そして復元させることができ、バキューム処置の効率と操作性をさらに向上させることができる。特に,複数の箇所を連続して治療する場合に適している。
【００１２】
本考案の口腔内バキューム装置は、バキューム管、バキュームホース及び吸引機を備え、上記本考案の口腔内バキューム管保持用スタンドによりバキューム管を把持した構成である。
さらに、本考案の歯科治療用チェアは、自在に屈曲しかつその位置を保持可能な屈曲管を有し、該屈曲管の一端部にバキューム管を把持する把持部材を設けたことを特徴とする。すなわち、本考案の歯科治療用チェアは上記本考案の口腔内バキューム管保持用スタンドを取り外し可能に備えたもの以外に、屈曲管の一端部にバキューム管を把持する把持部材を設け、これを治療用チェアに一体的に形成・固定したものも含まれる。
なお、本考案において、バキューム管のみならず排唾管をも把持する構成としても良い。すなわち、自在に屈曲しかつその位置を保持可能な第２の屈曲管を有し、該第２の屈曲管の一端部に排唾管を把持する把持部材を設けたことを特徴とする。
【考案の効果】
【００１３】
本考案の口腔内バキューム管の保持スタンドを用いることにより、簡便かつ低コストで口腔内バキューム装置を提供することができ、しかも、この装置は、従来のものに比べて、治療に伴う患者の苦痛を軽減する一方、歯科医の思い通りの治療等をより効率よく行うことが可能となる。さらに、バキューム処置のためのアシスタントが不要となり、人件費の削減ができ、より健全な医院経営に資するものである。  
【図面の簡単な説明】
【００１４】
【図１】図１は本考案のバキューム装置の一構成例を示す概略図である。
【図２】図２は本考案の他の構成例を示す概略図である。
【図３】図３は本考案の屈曲管の構成例を示す概略図である。
【考案を実施するための形態】
【００１５】
以下に、実施例を挙げ、図面を参照しながら本考案の口腔内バキューム装置及びそれに用いるバキューム管保持用スタンドをより具体的に説明する。
【実施例１】
【００１６】
図１は、本考案の口腔内バキューム装置の一例であって、治療チェアまでバキューム管保持用スタンドを押していき、そこで治療チェアに備え付けのバキューム管等を取り付けて用いるタイプのバキューム装置である。
バキューム管保持用スタンド１００は、図に示すように、床上に配置され、底面にはキャスター１１０が取付けられ、これにより自由に移動させることができる。支持台１０９は転倒防止のため重量物で構成され、支柱１０６を収納する収納管１０８が設けられている。支柱１０６の先端には、自在に屈曲しかつその位置を保持する屈曲管１０５が取り付けられ、その先端部にバキューム管１０１を把持する把持部材１０４が取り付けられる。支柱１０６は高さ方向に移動可能で、適当な高さでネジ１０７により固定することができる。
【００１７】
一方、バキューム管１０１は、各治療チェアに設けられたものを使用する。その先端部には口内粘膜を傷つけないように柔軟性の高いバキュームチップ１０２が取り付けられ、後端部には汚物排出のためのバキュームホース１０３が設けられ、吸引機（不図示）に連結されている。
【００１８】
本考案において、屈曲管１０５とは、上述したように、種々の形状に自在に屈曲することができ、しかも屈曲した形状で保持可能な管のことをいい、例えば、電気スタンドや湯沸かし器の出湯管等に用いられスタンドチューブやスタンドフレキと呼ばれる管が挙げられる。なお、本発明において、[管」という言葉を用いているが、必ずしも内部が空洞である必要はなく、棒状のものであっても良い。ここで、材質としては、金属が好適に用いられるが、これに限らず、プラスチック等も用いることができる。
また、把持部材としては、バキューム管をガタが生じないように確実に安定して把持するものであれば、どのようなものでも良いが、例えば、クリップ（金属、プラスチック製）やベルクロのような面ファスナーを備えたバンド等が好適に用いられる。なお、クリップの場合は、バキューム管の滑り止めに内側ににゴムシートのような弾性体を張り合わせるのが好ましく、これによりバキューム管をガタがなく、所望の位置に確実に保持することができる。
【００１９】
次に、口腔内バキューム管保持用スタンド及びバキューム装置の使用方法を説明する。
口腔内バキューム管保持用スタンド１００は、患者の治療用チェアに移動させ、チェア付属のバキューム管をクリップ１０４で固定し、ホース留め１１１でバキュームホース１０３を緩やかに屈曲管１０５に押さえつける。
【００２０】
続いて、支柱１０６の高さを調整するとともに屈曲管１０５を折り曲げて、患者の口内にバキューム管１０１を挿入し、所定の位置にバキュームチップ１０２が来るように屈曲管を調節して、その位置に保持させる。このようにすることで、例えば、切削位置の近傍にバキュームチップを配置することが可能となり、切削屑や洗浄液、水等を効果的に吸引排出することができ、アシスタントなしでもバキューム処置しながら歯の治療を行うことができる。すなわち、歯科医はアシスタントなしでも両手を使った治療が可能となり、その上、治療部を十分に観察しながら思い通りに治療を行うことができる。
【００２１】
また、バキューム管の重量はスタンド自身で支えてられていることから、口腔内の粘膜にバキューム管等の重量はかからず、歯石除去処置の場合のように、排唾管を用いる場合と比べても、患者に与える苦痛をより緩和させることができる。
【００２２】
続いて、他の治療チェアでバキューム装置が必要なときは、バキューム管及びホースを取り外して、スタンドをその治療用チェアまで移動させ、そこで同様にして、バキューム管等を取り付けて用いれば良い。
【実施例２】
【００２３】
本考案の第２の実施例を図２に示す。実施例１が自立型の保持用スタンドで床上を移動させるものであるのに対し、本実施例の保持用スタンドは、屈曲管１０５を直接（又は支柱１０６等を介して）治療用チェア等の構造物(例えば、治療用チェアのアーム等）に取付けるものである。
【００２４】
すなわち、本実施例の保持スタンドは、アームや壁等にスタンドを固定するため取付部材１１２、支柱１０６、屈曲管１０５、及びバキューム管把持部材１０４から構成される。取付部材１１２としては、把持部材１０４と同様なもの、すなわちクリップや面ファスナーが用いられるが、構造物が磁性体の場合には磁石を用いることもできる。
上述したように、このスタンドの取付部材１１２を治療用チェアのアームに取付けて、実施例１と同様にして用いることができるが、例えば、口腔外バキューム装置の吸引アームの吸引口の近くに取付部材１１２を取付、固定して用いることにより、口外に飛び散る切削屑等を口腔外バキューム装置で吸引除去して、歯科医を飛散物から保護するとともに、アシスタントなしで口腔内の汚物を効率的に除去することが可能となる。
【実施例３】
【００２５】
本実施例では、図３（ａ）に示すように、屈曲管を、支柱側(第１の屈曲部)１０５’と先端側(第２の屈曲部)１１３との２段構成としたものであり、第２の屈曲部１１３を曲げる力を第１の屈曲部１０５’の値よりも小さくしたものである。比較的弱い力で先端部のチップが移動するようにして、例えばミラー等の治療器具を持った手で押しながら先端部を移動させながら他方の手で治療を行うことを可能としたものである。
また、このときのバキュームチップの移動を略同一平面内とすることも可能であり、このとき、第２の屈曲部として、例えば特開２００７−２７８４９６に開示されているような短冊状板を重ね合わせたアームを用いることができる。
【００２６】
同様な機能を有する構成例を図３（ｂ）に示す。これは、図３（ａ）の第２の屈曲部の代わりに、バネ等の弾性体１１４を用いた例である。この例では、力を加えると先端部は弾性体の変形により移動するが、離すと元に戻る。従って、この装置は近傍にある複数の治療箇所を連続して治療する場合に効果的である。
【００２７】
以上述べたように、本考案のバキューム管は排唾管の機能を持たせることも可能であることから、あえて排唾管を使用する必要もないが、場合によりバキューム管と排唾管を併用する構成としても良い。この場合、例えば、図１の支柱に更に排唾管用の屈曲管及び排唾管把持部材を連結した構成で、バキューム管先端部及び排唾管先端部をそれぞれ口腔内の適切な位置に配置して用いる。このようにして、患者への負担をより一層低減しながら、効率的、効果的な治療及び歯石除去等を行うことが可能となる。また、同様に、図１の支持台に、別途、排唾管用の支柱及び収納管を設ける構成としたり、支柱を設けず、直接支持台に屈曲管を取り付ける構成であっても良い。
【符号の説明】
【００２８】
１００  バキューム管保持スタンド(口腔内バキューム装置)
１０１  バキューム管    
１０２  バキュームチップ  
１０３  バキュームホース  
１０４  バキューム管把持部材  
１０５  屈曲管
１０５’  第１の屈曲部
１０６  支柱  
１０７  支柱固定ネジ
１０８  支柱収納管
１０９  支持台
１１０  キャスター
１１１  ホース留め 
１１２  取付け部材
１１３  第２の屈曲部
１１４  弾性体。
【図１】
0003157169.tif 000003
【図２】
0003157169.tif 000004
【図３】
0003157169.tif 000005